(57)【要約】【課題】浅く埋設しても、つるはし等の衝撃力を受けて破損する可能性が皆無に等しく、三次元のどの方向にも自在に曲げることができる、施工性に優れた多孔管路用自在曲がり継手を提供する。【解決手段】一対の継手部材２，２を外枠１両端の開口１ｄ，１ｄから遊挿して先端の係合用フランジ部２ａ，２ａを外枠１内面の一対の被係合溝１ｅ，１ｅに抜出し不能に遊嵌すると共に、継手部材２，２の先端間に配置した各短管３の両端を継手部材２，２の各貫通孔２ｂ，２ｂ（先端の受口２ｄ，２ｄ）に遊挿した構成の多孔管路用自在曲がり継手とする。開口１ｄと継手部材２との遊び、被係合溝１ｅと係合用フランジ部２ａとの遊び、貫通孔２ｂ（受口２ｄ）と短管３の両端との遊びの範囲内で双方の継手部材２，２が三次元のどの方向にも曲がる。短管３は外枠１で保護され、つるはし等で破損する可能性が皆無に等しい。【選択図】図４
2006101610.tif 000002
【特許請求の範囲】
【請求項１】
両端が開口し内面に一対の被係合溝が周設された外枠と、多孔管路の孔数と同数の平行な貫通孔を有し先端に係合用フランジ部が形成された一対の継手部材と、継手部材の貫通孔と同数の短管とからなる自在曲がり継手であって、一対の継手部材が外枠両端の開口からそれぞれ遊挿されて先端の係合用フランジ部が外枠内面の一対の被係合溝にそれぞれ抜出し不能に遊嵌されると共に、双方の継手部材の先端間に短管が配置されて各短管の両端が双方の継手部材の各貫通孔に遊挿されていることを特徴とする多孔管路用自在曲がり継手。
【請求項２】
外枠が、上枠部と下枠部からなる二分割タイプのものである請求項１に記載の多孔管路用自在曲がり継手。
【請求項３】
外枠両端の開口の内面が、内側から外側に向かって拡がるテーパー面とされている請求項１又は請求項２に記載の多孔管路用自在曲がり継手。
【請求項４】
継手部材の後端に接続用フランジ部が形成されている請求項１に記載の多孔管路用自在曲がり継手。
【発明の詳細な説明】
【技術分野】
【０００１】
本発明は、電線や光ファイバーなどのケーブルを地中に埋設する多孔管路の曲がり部分に設置されて多孔管の接続を行う多孔管路用自在曲がり継手に関する。
【背景技術】
【０００２】
従来より、この種の多孔管路材として、ケーブル挿通用の複数の貫通孔を平行に形成した直方体形状のコンクリート製又は陶製の多孔管や、合成樹脂製の複数のコルゲート管を結束した多条管などが使用されている。
【０００３】
後者の多条管は、曲がりやすくて施工がしやすいという利点を有する反面、歩道等の表面近くに浅く埋設すると、つるはし試験に対する強度に不安があり、しかも、埋設施工の際の転圧時に砂がコルゲート管相互の隙間に入り込みにくいため、舗装後に砂が該隙間に入り込んで舗装面に凹凸が生じやすいという欠点があった。
【０００４】
これに対し、前者の多孔管は、つるはし試験に対する強度があり、舗装面に凹凸が生じる心配もないといった利点を有するが、その反面、重量が大きいため取扱いが容易でなく、しかも、多孔管路の曲がり部分では、一定の曲がり角度を有する台形状の曲がり多孔管を幾つか接続する必要があるため、施工が面倒で、曲率半径を小さくすることが難しく、曲がり角度の調整もし辛いといった欠点があり、曲がり部分の多い施工現場には不向きであった。
【０００５】
このような多孔管路の曲がり部分の欠点に対処するため、複数の孔を形成した接続ブロックの該孔に波付き管の一端の直管部を挿入し、この直管部の鍔状ストッパーを該孔の凹溝に嵌め込んで取付けた多孔管路用接続ユニットが提案されている（特許文献１参照）。この多孔管路用接続ユニットは、多孔管路の曲がり部分おいて一組使用され、双方のユニットの接続ブロックが曲がり部分の双方の多孔管にそれぞれ突合わせ接続されると共に、双方のユニットの波付き管同士が曲がり部分の曲率半径に応じた円弧長調整用の波付き管を介して管継手により接続されるものである。
【０００６】
しかしながら、上記の接続ユニットを用いると、多孔管路の曲がり部分の大部分が、該ユニットの接続ブロックに取付けられた波付き管と円弧長調整用の波付き管で占められ、これらの波付き管がむき出しのまま無防備に埋設されることになるため、浅く埋設した場合には、つるはしやその他の衝撃力を受けて破損する可能性が高いという問題があった。また、接続ブロックに取付けられる波付き管の本数が多くなると、円弧長調整用の波付き管を介して管継手により接続する作業が大変になり、施工性が低下するという問題もあった。
【特許文献１】特開平９−２８４９６３号公報
【発明の開示】
【発明が解決しようとする課題】
【０００７】
本発明は上記の問題に対処すべくなされたもので、浅く埋設しても、つるはしやその他の衝撃力を受けて破損する可能性が皆無に等しく、しかも、三次元のどの方向にも自在に曲げることができる、施工性に優れた多孔管路用自在曲がり継手を提供することを解決課題とする。
【課題を解決するための手段】
【０００８】
上記課題を解決するため、本発明の多孔管路用自在曲がり継手は、両端が開口し内面に一対の被係合溝が周設された外枠と、多孔管路の孔数と同数の平行な貫通孔を有し先端に係合用フランジ部が形成された一対の継手部材と、継手部材の貫通孔と同数の短管とからなる自在曲がり継手であって、一対の継手部材が外枠両端の開口からそれぞれ遊挿されて先端の係合用フランジ部が外枠内面の一対の被係合溝にそれぞれ抜出し不能に遊嵌されると共に、双方の継手部材の先端間に短管が配置されて各短管の両端が双方の継手部材の各貫通孔に遊挿されていることを特徴とするものである。
【０００９】
本発明の多孔管路用自在曲がり継手においては、外枠が上枠部と下枠部からなる二分割タイプのものであることが望ましく、また、外枠両端の開口の内面が内側から外側に向かって拡がるテーパー面とされていることが望ましい。そして、継手部材の後端に接続用フランジ部が形成されていることも望ましい。
【発明の効果】
【００１０】
本発明の多孔管路用自在曲がり継手のように、一対の継手部材が外枠両端の開口からそれぞれ遊挿されて先端の係合用フランジ部が外枠内面の一対の被係合溝にそれぞれ抜出し不能に遊嵌され、各短管の両端が双方の継手部材の各貫通孔に遊挿されていると、外枠の開口とこれに遊挿された継手部材との遊び、被係合溝とこれに遊嵌された継手部材先端の係合用フランジ部との遊び、双方の継手部材の貫通孔とこれに遊挿された短管の両端との遊びの範囲内において、双方の継手部材が上下、左右、斜めのどの方向にも傾斜して三次元曲がりが自在となり、曲がり角度も簡単に調節することができる。従って、多孔管路の曲がり部分において、本発明の自在曲がり継手の一方の継手部材を一方の多孔管に連結し、他方の継手部材を他方の多孔管に連結するだけで、三次元のどの方向の曲がり部分であっても、所望の曲がり角度で簡単に双方の多孔管を接続できるので、施工性が極めて良好である。しかも、本発明の多孔管路用自在曲がり継手は、双方の継手部材の先端間に配置された短管が外枠に囲まれて保護されるため、つるはしやその他の衝撃力を受けて短管が破損する心配は皆無に等しい。
【００１１】
そして、外枠が上枠部と下枠部からなる二分割タイプのものであると、自在曲がり継手の組立作業を簡単に行うことが可能となり、また、外枠両端の開口の内面が内側から外側に向かって拡がるテーパー面とされていると、継手部材の外枠に対する傾きが大きくなるので、自在曲がり継手の曲がり角度が一層大きくなり、曲率半径を減少させることができる。更に、継手部材の後端に接続用フランジ部が形成されていると、この接続用フランジを利用して多孔管との連結を簡単に行うことができる。
【発明を実施するための最良の形態】
【００１２】
以下、図面を参照して本発明の具体的な実施形態を詳述する。
【００１３】
図１は本発明の一実施形態に係る多孔管路用自在曲がり継手を、その外枠の上枠部を分解して示す斜視図、図２は同自在曲がり継手の分解斜視図、図３は同自在曲がり継手の縦断面図、図４は図３のＡ−Ａ線断面図、図５は同自在曲がり継手の分解断面図、図６は多孔管を接続した同自在曲がり継手が下方に曲がった状態を示す縦断面図、図７は多孔管を接続した同自在曲がり継手が右方に曲がった状態を示す水平断面図である。
【００１４】
この多孔管路用自在曲がり継手は、図１〜図５に示すように、上下二分割タイプの外枠１と、一対の継手部材２，２と、継手部材の貫通孔２ａと同数（この実施態様では３本）の短管３とで構成されている。
【００１５】
外枠１は、偏平な逆Ｕ字形の断面形状を有する上枠部１ａと、偏平なＵ字形の断面形状を有する下枠部１ｂからなる二分割タイプの偏平な角筒状の外枠であって、これらの上枠部１ａ及び下枠部１ｂは、その両側壁から一対ずつ突き出した水平突片１ｃ，１ｃ同士をボルト・ナット（不図示）で締付けることにより一体化されている。
【００１６】
この外枠１の両端の開口１ｄ，１ｄは継手部材２，２を遊挿できる大きい開口とされ、その内周面は内側から外側に向かって拡がるテーパー面とされている。そして、この外枠１の内面には、継手部材２，２の先端の係合用フランジ部２ａ，２ａを抜出し不能に遊嵌させるための一対の被係合溝１ｅ，１ｅが周設されている。
【００１７】
継手部材２は偏平な直方体ブロックからなるもので、多孔管路を構成する多孔管の孔数と同数（この実施形態では３つ）の貫通孔２ｂが間隔をあけて平行に形成されており、先端には係合用フランジ部２ａが、また、後端には接続用フランジ部２ｃがそれぞれ形成されている。先端の係合用フランジ部２ａは、外枠１の開口１ｄから抜け出さない大きさとされ、その厚みは外枠１の被係合溝１ｅの溝幅の略１／２以下とされている。そして、係合用フランジ部２ａのエッジやコーナーにはアールが形成されている。また、各貫通孔２ｂの先端には、貫通孔２ｂより径の大きい受口２ｄが形成されており、この受口２ｄに短管３の端部が遊挿されるようになっている。
【００１８】
上記の外枠１及び継手部材２は、軽量で成形性に優れたＢＭＣ、ＳＭＣ、ポリプロピレンなどの樹脂材料を用いて作製することが好ましく、特に、再生樹脂材料を用いて作製すると、経済的にも有利である。
【００１９】
図３、図４に示すように、双方の継手部材２，２は外枠１両端の開口１ｄ，１ｄから遊挿され、先端の係合用フランジ部２ａ，２ａが外枠１内面の被係合溝１ｅ，１ｅにそれぞれ抜出し不能に遊嵌されている。そして、双方の継手部材２，２の先端間に貫通孔２ｂと同数（この実施形態では３本）の短管３が配置され、各短管３の両端が双方の継手部材２，２の各貫通孔先端の受口２ｄ，２ｄに遊挿されて、自在曲がり継手が組立られている。
【００２０】
この短管３は、貫通孔２ｂより径が大きく受口２ｄより径が小さいポリ塩化ビニルなどの合成樹脂製の丸パイプであって、図６、図７に示すように自在曲がり継手が曲がった状態のときでも、短管端部が受口２ｄから抜けたり受口２ｄの奥端を押したりすることのない長さを有するものが使用される。
【００２１】
以上のような構成の多孔管路用自在曲がり継手は、継手部材２，２が外枠１両端の開口１ｄ，１ｄに遊挿され、その先端の係合用フランジ部２ａ，２ａが外枠１内面の被係合溝１ｅ，１ｅに抜出し不能に遊嵌され、各短管３の両端が継手部材２，２の各貫通孔先端の受口２ｄ，２ｄに遊挿されているため、外枠１の開口１ｄ，１ｄとこれに遊挿された継手部材２，２との遊び、被係合溝１ｅ，１ｅとこれに遊嵌された係合用フランジ部２ａ，２ａとの遊び、受口２ｄ，２ｄとこれに遊挿された短管３の両端との遊びの範囲内において、双方の継手部材２，２が上下、左右、斜めのどの方向にも傾斜して三次元曲がりが自在となり、曲がり角度も簡単に調節することができる。特に、係合用フランジ部２ａ，２ａの厚みが被係合溝１ｅ，１ｅの溝幅の略１／２以下とされ（換言すれば被係合溝１ｅ，１ｅの溝幅が係合用フランジ部２ａ，２ａの厚みの略２倍以上の広幅とされ）、外枠１両端の開口１ｄ，１ｄの内周面が内側から外側に向かって拡がるテーパー面になっていると、双方の継手部材２，２が大きく傾斜するため、曲がり角度が大きくなり、曲率半径を小さくすることが可能となる。
【００２２】
従って、多孔管路の曲がり部分において、図６、図７に示すように、この自在曲がり継手の一方の継手部材２の接続用フランジ部２ｃを一方の多孔管４の接続用フランジ部４ａにボルト・ナットで連結し、他方の継手部材２の接続用フランジ部２ｃを他方の多孔管４の接続用フランジ部４ａに連結すれば、図６のように上下方向にも、或いは、図７のように左右方向にも、更には、これらが複合されて三次元のどの方向にも、所望の曲がり角度をもって簡単に双方の多孔管４，４を接続できるので、施工性が極めて良好である。しかも、この多孔管路用自在曲がり継手は、双方の継手部材２，２の先端間に配置された短管３が外枠１に囲まれて保護されるため、つるはしやその他の衝撃力を受けて短管３が破損する心配は皆無に等しい。
【００２３】
また、この自在曲がり継手は、外枠１が上枠部１ａと下枠部１ｂからなる二分割タイプのものであるため組立作業性が良好であり、図１に示すように上枠部１ａを取り外した状態で、下枠部１ｂの被係合溝１ｅ，１ｅに双方の継手部材２，２の係合用フランジ部２ａ，２ａを嵌込むと共に、３本の短管３の両端を継手部材２，２の貫通孔先端の受口２ｄ，２ｄに遊挿し、その上から上枠部１ａを重ねて上枠部１ａと下枠部１ｂの１ｃ，１ｃ同士をボルト・ナットで締付けるだけの作業によって、極く簡単に組立てることができる。
【図面の簡単な説明】
【００２４】
【図１】本発明の一実施形態に係る多孔管路用自在曲がり継手を、その外枠の上枠部を分解して示す斜視図である。
【図２】同自在曲がり継手の分解斜視図である。
【図３】同自在曲がり継手の縦断面図である。
【図４】図３のＡ−Ａ線断面図である。
【図５】同自在曲がり継手の分解断面図である。
【図６】多孔管を接続した同自在曲がり継手が下方に曲がった状態を示す縦断面図である。
【図７】多孔管を接続した同自在曲がり継手が右方に曲がった状態を示す水平断面図である。
【符号の説明】
【００２５】
１    外枠
１ａ  上枠部
１ｂ  下枠部
１ｄ  開口
１ｅ  被係合溝
２    継手部材
２ａ  係合用フランジ部
２ｂ  貫通孔
２ｃ  接続用フランジ部
２ｄ  受口
３    短管
４    多孔管
【図１】
2006101610.tif 000003
【図２】
2006101610.tif 000004
【図３】
2006101610.tif 000005
【図４】
2006101610.tif 000006
【図５】
2006101610.tif 000007
【図６】
2006101610.tif 000008
【図７】
2006101610.tif 000009